(57)【要約】【課題】伝送信号がしきい値以下になるごとに適切な伝送信号の伝送処理を行うことができ、これにより信号品質の向上を図り得る伝送信号処理装置を提供する。【解決手段】スケルチ判定回路１８において、受信信号の信号レベルがスケルチ動作のしきい値Ｓ３以下となった場合に、スケルチ回路１５をオンにする前に、しきい値Ｓ３以下となる信号レベルがスケルチ確認時間Ｔ１継続するか否か、つまり信号の無受信時であるか否かを判定し、スケルチ確認時間Ｔ１継続した場合にスケルチ回路１５をオンにするようにしている。【選択図】      図１
2006279276.tif 000002
【特許請求の範囲】
【請求項１】
伝送信号の伝送のオン／オフを切り替える切替手段と、
前記伝送信号の信号レベルを検出する検出手段と、
この検出手段により検出された伝送信号の信号レベルが第１基準値以下であり、第１基準値以下である期間が基準となる第１時間以上継続した場合に、前記切替手段をオフに切替制御する制御手段とを具備したことを特徴とする伝送信号処理装置。
【請求項２】
前記制御手段は、前記切替手段がオフ状態になった後、当該信号レベルが前記第１基準値を超えた場合に、前記第１基準値を超えた時点から前記第１時間とは異なる第２時間が経過するまでに、前記伝送信号の信号レベルが第１基準値を超えているか否かを判定し、かつ前記第１基準値とは異なる第２基準値以下であるか否かを判定し、前記第２時間続けて第１基準値を超えて、かつ第２基準値以下である場合に前記切替手段をオンに切替制御することを特徴とする請求項１記載の伝送信号処理装置。
【請求項３】
前記制御手段は、
前記第２時間を計時するタイマと、
前記伝送信号の前記第２基準値を超える信号レベルを判定する第１の判定手段と、
前記伝送信号の前記第２基準値とは異なる第３基準値未満の信号レベルを判定する第２の判定手段と、
前記タイマによる計時時に、前記第１及び第２の判定手段のいずれかの判定結果に基づき、前記伝送信号が許容範囲に入らないときは前記タイマをリセットするリセット手段とを備えたことを特徴とする請求項２記載の伝送信号処理装置。
【発明の詳細な説明】
【技術分野】
【０００１】
この発明は、無線通信機器において、回線瞬断率の向上と過出力保護を目的とする伝送信号処理装置に関する。
【背景技術】
【０００２】
無線通信機器といった受信機では、信号の無受信時に発生する雑音等を発生させないように、スケルチ回路を設けている。このスケルチ回路は、受信機の受信信号を監視し、検波出力中の信号の有無を検出し、これによって受信機における信号の無受信時に発生する雑音等を防止するようにしている。
【０００３】
ところで、上記スケルチ回路では、受信信号がしきい値以下になった場合にスケルチ回路を動作させると、フェージング等による瞬断等でもスケルチ回路が動作するために、スケルチ回路がオン／オフを繰り返してしまうことになる。
【０００４】
なお、従来では、受信信号がしきい値以下になった場合にスケルチオン応答時間を長くし、スケルチオフ応答時間を短くする手法が提案されている（例えば、特許文献１）。
【特許文献１】特願平２−１５１１２９号公報。
【発明の開示】
【発明が解決しようとする課題】
【０００５】
しかしながら、上記手法では、フェージング等で瞬断した場合でもスケルチ回路のオン／オフ制御を行うことになり、また受信信号がしきい値を超えた場合に即座にスケルチ回路をオンにしているので、過出力保護には対応できない。
【０００６】
そこで、この発明の目的は、伝送信号がしきい値以下になるごとに適切な伝送信号の伝送処理を行うことができ、これにより信号品質の向上を図り得る伝送信号処理装置を提供することにある。
【課題を解決するための手段】
【０００７】
この発明は、上記目的を達成するために、以下のように構成される。  
伝送信号の伝送のオン／オフを切り替える切替手段と、伝送信号の信号レベルを検出する検出手段と、この検出手段により検出された伝送信号の信号レベルが第１基準値以下であり、第１基準値以下である期間が基準となる第１時間以上継続した場合に、切替手段をオフに切替制御する制御手段とを備えるようにしものである。
【０００８】
この構成によれば、伝送信号の信号レベルが第１基準値以下となった場合に、伝送信号の伝送の停止処理の実行に先立ち、第１基準値以下となる信号レベルが第１時間継続するか否か、つまり信号の無受信時であるか否かを判定し、第１時間継続した場合に伝送信号の伝送の停止処理を実行するようにしている。このため、伝送信号が第１基準値以下になるごとに適切な伝送信号の伝送処理を行うことができ、これにより信号品質の向上を図ることができるとともに、伝送信号の伝送停止処理上の信頼性をさらに高めることができる。
【０００９】
制御手段は、切替手段がオフ状態になった後、当該信号レベルが第１基準値を超えた場合に、第１基準値を超えた時点から第１時間とは異なる第２時間が経過するまでに、伝送信号の信号レベルが第１基準値を超えたか否かを判定し、かつ第１基準値とは異なる第２基準値以下であるか否かを判定し、前記第２時間続けて第１基準値を超えて、かつ第２基準値以下である場合に切替手段をオンに切替制御することを特徴とする。
【００１０】
この構成によれば、切替手段がオフになっている状態で伝送信号が第１基準値を超えた場合に、伝送信号の伝送処理の実行に先立ち、第１基準値を超えた時点から第２時間経過後に、伝送信号の信号レベルが第１基準値を超えているか否かを判定すると共に、第２基準値以下であるか否かを判定し、第１基準値を超えて第２基準値以下である場合に伝送信号の伝送処理を実行するようにしている。このため、第２時間中に発生する過出力等を防止することができ、これにより伝送信号の伝送復旧の信頼性をさらに向上することができる。
【００１１】
制御手段は、第２時間を計時するタイマと、伝送信号の第２基準値を超える信号レベルを判定する第１の判定手段と、伝送信号の第２基準値とは異なる第３基準値未満の信号レベルを判定する第２の判定手段と、タイマによる計時時に、第１及び第２の判定手段のいずれかの判定結果に基づき、伝送信号が許容範囲に入らないときはタイマをリセットするリセット手段とを備えたことを特徴とする。  
この構成によれば、第２時間計時中に伝送信号の過出力または出力低下が検出されると、タイマがリセットされるので、過出力または出力低下の発生を確実に防止することができる。
【発明の効果】
【００１２】
以上詳述したようにこの発明によれば、伝送信号がしきい値以下になるごとに適切な伝送信号の伝送処理を行うことができ、これにより信号品質の向上を図り得る伝送信号処理装置を提供することができる。
【発明を実施するための最良の形態】
【００１３】
以下、この発明の実施形態について図面を参照して詳細に説明する。  
図１は、この発明に係わる伝送信号処理装置が適用される受信装置の一実施形態の構成を示すブロック図である。
【００１４】
すなわち、受信装置は、送信機からの信号を受信し、この受信信号を低雑音増幅器１１で増幅し、分配器１２で２系統に分配する。この分配器１２で分配された一方の信号は、帯域フィルタ（ＢＰＦ）１３で不要成分が除去され、増幅器１４で増幅された後、スケルチ回路１５に供給される。
【００１５】
また、分配器１２で分配された他方の信号は、帯域フィルタ（ＢＰＦ）１６で不要成分が除去されて、レベル検出器１７に供給される。レベル検出器１７は、受信信号の信号レベルを検出するもので、この検出結果はスケルチ判定回路１８に送られる。
【００１６】
また、増幅器１４の出力は、レベル検出器２１に送られる。レベル検出器２１は、増幅器１４の出力信号の信号レベルを検出するもので、この検出結果はスケルチ判定回路１８に送られる。
【００１７】
スケルチ判定回路１８は、レベル検出器１７で検出された受信信号の信号レベルがスケルチ動作のしきい値以下であるか否かを判定してスケルチ回路１５のオン／オフを制御するもので、信号レベルがスケルチ動作のしきい値以下であり、またしきい値以下である期間がスケルチ確認時間Ｔ１以上継続した場合に、スケルチ回路１５をオン、つまり出力端子１９を終端２０に接続する。
【００１８】
また、スケルチ判定回路１８は、スケルチ回路１５がオンになった後、信号レベルがしきい値を超えた場合に、しきい値を超えた時点から正常出力確認時間Ｔ２が経過するまでに、レベル検出器２１からの検出結果に基づいて受信信号の信号レベルがしきい値を超えているか否かを判定するとともに、過出力しきい値以下であるか否かを判定し、正常出力時間Ｔ２続けてしきい値を超え、過出力しきい値以下である場合にスケルチ回路１５をオフ、つまり増幅器１４と出力端子１９とを接続した状態にする。
【００１９】
図２は、上記スケルチ判定回路１８の要部構成を示すブロック図である。  
レベル検出器１７の出力は、スケルチ判定部（ＳＱ判定）１８１に供給される。スケルチ判定部１８１は、レベル検出器１７で検出された信号レベルがしきい値以下であるか否かを判定するもので、しきい値以下である場合にスケルチ信号を遅延回路１８２に出力する。
【００２０】
遅延回路１８２は、スケルチ信号をスケルチ確認時間Ｔ１だけ保持して出力するものである。この遅延回路１８２の出力は、ＯＲ回路１８３及びＲＳフリップフロップ１８４を介してスケルチ制御部１８５に供給される。すると、スケルチ制御部１８５は、スケルチ回路１５をオンにする。
【００２１】
また、スケルチ判定部１８１は、スケルチ信号を遅延回路１８２に保持した後、信号レベルがしきい値を超えたことを判定した場合に、遅延回路１８２をリセットして保持中のスケルチ信号を除去する。
【００２２】
一方、レベル検出器２１の出力は、過出力判定部（過出力）１８６、出力正常判定部（出力正常）１８７及び出力低下判定部１８８にそれぞれ供給される。出力正常判定部１８７は、レベル検出器２１で検出された信号レベルがスケルチ動作のしきい値を超え、かつ過出力しきい値以下であるか否か、出力低下しきい値以上であるか否かを判定するもので、許容範囲内に入っている場合に「Ｈ」信号を遅延回路１８９に出力する。遅延回路１８９は、「Ｈ」信号をタイマ１８９１で計時される正常出力確認時間Ｔ２だけ保持して出力するもので、この出力はリセット信号としてＲＳフリップフロップ１８４に供給される。
【００２３】
すると、ＲＳフリップフロップ１８４は、「Ｌ」信号をスケルチ制御部１８５に出力する。スケルチ制御部１８５は、スケルチ回路１５をオフにする。
【００２４】
過出力判定部１８６は、信号レベルが過出力しきい値以下であるか否かを判定するもので、過出力しきい値を超える場合に、「Ｈ」信号をＯＲ回路１８３に出力するとともに、遅延回路１８９に対しリセット信号を供給する。すると、遅延回路１８９のタイマ１８９１はリセットされる。また、「Ｈ」信号は、ＯＲ回路１８３を介してＲＳフリップフロップ１８４に供給され、これによりスケルチ回路１５をオンにさせる。
【００２５】
出力低下判定部１８８は、信号レベルが出力低下しきい値以上であるか否かを判定するもので、出力低下しきい値を下回る場合に、遅延回路１８９のタイマ１８９１をリセットする。
【００２６】
次に、上記構成における処理動作について、図３を参照して説明する。  
図３（ａ）は低雑音増幅器１１の出力、図３（ｂ）は増幅器１４の出力、図３（ｃ）はスケルチ判定回路１８の出力、図３（ｄ）は出力端子１９から取り出される信号波形を示している。
【００２７】
図３において、Ｓ１は受信入力レベルの推移、Ｓ２は標準受信入力レベル、Ｓ３はスケルチ動作のしきい値レベル、Ｓ４はフェージング等で瞬断した場合の受信レベルの推移、Ｓ５は送信機側で一定期間停波した場合の受信レベルの推移、Ｓ６は受信出力レベルの推移、Ｓ７はスケルチ確認時間Ｔ１、Ｓ８は標準受信出力レベル、Ｓ９は受信出力レベルが過出力になった状態、Ｓ１０はスケルチ回路１５の動作状態、Ｓ１１はスケルチオフ、Ｓ１２はスケルチオン、Ｓ１３は正常出力確認時間Ｔ２であることを示している。
【００２８】
受信入力レベルＳ１は、通常は標準受信入力レベルＳ２のレベルにあるが、Ｓ４に示すようなフェージング等で瞬断した場合や、Ｓ５に示すような送信機側で一定期間停波すると、受信入力レベルＳ１は低下し、スケルチ動作のしきい値Ｓ３以下となる。
【００２９】
スケルチ判定回路１８では、Ｓ５に示すように受信入力レベルＳ１がしきい値Ｓ３以下である時間がスケルチ確認時間Ｔ１を越える場合に、スケルチ回路１５の動作状態Ｓ１０をスケルチオフＳ１１からスケルチオンＳ１２に切り替える。
【００３０】
Ｓ５の場合において、受信入力レベルＳ１が標準受信レベルに復旧した瞬間は、受信装置の利得が最大値になっているので、何も処理を施さないと受信出力レベルＳ６が過出力状態Ｓ９となる。過出力は後段への装置破損の原因になる。
【００３１】
そこで、スケルチ判定回路１８では、受信入力レベルＳ１がスケルチ動作のしきい値Ｓ３のレベルを超え、かつ受信出力レベルＳ６が過出力状態Ｓ９から標準受信出力レベルＳ８になり、正常出力確認時間Ｔ２を経過してから、スケルチ回路１５の動作状態Ｓ１０をスケルチオンＳ１２からスケルチオフＳ１１に切り替える。
【００３２】
従って、出力端子１９からは、スケルチオン時の信号とスケルチオフ時の信号が綺麗につながり、信号レベルに乱れのない信号が取り出される。
【００３３】
図４は、上記スケルチ判定回路１８におけるスケルチ判定部１８１の処理手順を示すフローチャートである。
【００３４】
スケルチ判定部１８１は、レベル検出器１７の出力信号から受信信号Ｓ１の信号レベルを判定し（ステップＳＴ４ａ）、この判定結果から受信信号Ｓ１が正常であるか否かの判断を行う（ステップＳＴ４ｂ）。ここで、正常でない場合、つまり受信信号Ｓ１の信号レベルがスケルチ動作のしきい値Ｓ３以下となった場合（Ｎｏ）、スケルチ判定部１８１はスケルチ信号を遅延回路１８２に出力する（ステップＳＴ４ｃ）。
【００３５】
一方、正常である場合（Ｙｅｓ）、スケルチ判定部１８１は、スケルチ状態であるか、つまり遅延回路１８１にスケルチ信号が保持されているか否かの判定を行う（ステップＳＴ４ｄ）。ここで、遅延回路１８１にスケルチ信号が保持されていなければ（Ｎｏ）、スケルチ判定部１８１は上記ステップＳＴ４ａの処理に移行するが、遅延回路１８１にスケルチ信号が保持されている場合（Ｙｅｓ）、遅延回路１８２に対するリセット信号を送出する（ステップＳＴ４ｅ）。
【００３６】
図５は、上記スケルチ判定回路１８における過出力判定部１８６、出力正常判定部１８７及び出力低下判定部１８８の処理手順を示すフロー図である。
【００３７】
過出力判定部１８６、出力正常判定部１８７及び出力低下判定部１８８は、図５に示す判定方法に従って、受信出力信号Ｓ６が正常レベルであるか否かを判定する。そして、受信出力信号Ｓ６が正常である場合には、出力正常判定部１８７からの「Ｈ」信号を遅延回路１８９に正常出力確認時間Ｔ２だけ保持し、正常出力確認時間Ｔ２を経過した場合にＲＳフリップフロップ１８４に「Ｈ」信号を送出してＲＳフリップフロップ１８４をリセットする。
【００３８】
また、遅延回路１８９において、正常出力確認時間Ｔ２内に受信出力信号Ｓ６が過出力または低出力になった場合は、過出力判定部１８６または出力低下判定部１８８からのリセット信号により、正常出力確認時間Ｔ２がリセットされる。
【００３９】
以上のように上記実施形態では、スケルチ判定回路１８において、受信信号の信号レベルがスケルチ動作のしきい値Ｓ３以下となった場合に、スケルチ回路１５をオンにする前に、しきい値Ｓ３以下となる信号レベルがスケルチ確認時間Ｔ１継続するか否か、つまり信号の無受信時であるか否かを判定し、スケルチ確認時間Ｔ１継続した場合にスケルチ回路１５をオンにするようにしている。
【００４０】
従って、受信信号がしきい値Ｓ３以下になるごとに適切なスケルチ回路１５の動作制御処理を行うことができ、これにより出力端子１９から取り出される信号の信号品質の向上を図ることができるとともに、スケルチ回路１５の動作処理上の信頼性をさらに高めることができる。
【００４１】
また、上記実施形態では、スケルチ判定回路１８において、スケルチ回路１５がオンになった状態で受信信号がしきい値Ｓ３を超えた場合に、スケルチ回路１５をオフにする前に、しきい値Ｓ３を超えた時点から正常出力確認時間Ｔ２経過後に、受信信号の信号レベルがスケルチ動作のしきい値Ｓ３を超えているか否かを判定すると共に、過出力しきい値以下であるか否かを判定し、スケルチ動作のしきい値Ｓ３を超えて過出力しきい値以下である場合にスケルチ回路１５をオフにするようにしている。
【００４２】
従って、正常出力確認時間Ｔ２中に発生する過出力等を防止することができ、これにより受信信号の伝送復旧の信頼性をさらに向上することができる。
【００４３】
さらに、上記実施形態では、スケルチ判定回路１８において、タイマ１８９１による正常出力確認時間Ｔ２計時中に過出力または出力低下が検出されると、タイマ１８９１がリセットされるので、スケルチ回路１５のオフ時による受信信号の過出力または出力低下の発生を確実に防止することができる。
【００４４】
なお、この発明は上記実施形態の構成に限定されるものではない。例えば上記スケルチ判定回路１８をソフトウェアで構成するようにしてもよい。
【００４５】
さらに、上記実施形態は受信装置に適用した場合であるが、これに限定されるものではなく、他の通信系の電子回路においても適用可能であることは勿論のことである。
【図面の簡単な説明】
【００４６】
【図１】この発明に係わる伝送信号処理装置が適用される受信装置の一実施形態の構成を示すブロック図。
【図２】上記図１に示したスケルチ判定回路の要部構成を示すブロック図。
【図３】同実施形態における処理動作を説明するためのタイミング図。
【図４】同実施形態におけるスケルチ判定部の処理手順を示すフローチャート。
【図５】同実施形態における過出力判定部、出力正常判定部及び出力低下判定部の処理手順を示すフロー図。
【符号の説明】
【００４７】
１１…低雑音増幅器、１２…分配器、１３，１６…帯域フィルタ（ＢＰＦ）、１４…増幅器、１５…スケルチ回路、１７，２１…レベル検出器、１８…スケルチ判定回路、１９…出力端子、２０…終端、１８１…スケルチ判定部、１８２…遅延回路、１８３…ＯＲ回路、１８４…ＲＳフリップフロップ、１８５…スケルチ制御部、１８６…過出力判定部、１８７…出力正常判定部、１８８…出力低下判定部、１８９１…タイマ。
【図１】
2006279276.tif 000003
【図２】
2006279276.tif 000004
【図３】
2006279276.tif 000005
【図４】
2006279276.tif 000006
【図５】
2006279276.tif 000007